(57)【要約】【課題】本発明は、新規な容器を提供することを目的とする。【解決手段】本発明の容器は、舌片２１を有する蓋２と保持部１１を有する容器本体１からなる。保持部１１は、容器本体１に接続部を介して固定される。保持部１１は押え部１２ｂを有している。押え部１２ｂは、容器本体１に蓋２を設置したときに、舌片２１の２つの面のうち蓋２側の面の上に位置する。【選択図】図５
2007112451.tif 000002
【特許請求の範囲】
【請求項１】
舌片を有する蓋と、保持部を有する容器本体からなり、
前記保持部は、前記容器本体に接続部を介して固定され、
前記保持部は、ふち部を有し、
前記容器本体に前記蓋を設置した後は、前記ふち部が前記舌片の外周を囲む、
容器。
【請求項２】
舌片を有する蓋と、保持部を有する容器本体からなり、
前記保持部は、前記容器本体に接続部を介して固定され、
前記保持部は、押え部を有し、
前記容器本体に前記蓋を設置した後は、前記押え部が前記舌片の２つの面のうち前記蓋側の面の上に位置する、
容器。
【請求項３】
舌片を有する蓋と、保持部を有する容器本体からなり、
前記保持部は、前記容器本体に接続部を介して固定され、
前記保持部は、押え部を有し、
前記容器本体に前記蓋を設置する前は、前記舌片の導入部と前記押え部の導入部が互いにぶつかり合う位置関係にあり、
前期容器本体に前記蓋を設置する際は、前記舌片の導入部と前記押さえ部の導入部が互いに滑りあう状態にあり、
前記容器本体に前記蓋を設置した後は、前記押え部が前記舌片の２つの面のうち前記蓋側の面の上に位置する、
容器。
【発明の詳細な説明】
【技術分野】
【０００１】
本発明は、蓋を開けるのが容易であり、かつ不正開封防止が確保できる容器に関する。
【背景技術】
【０００２】
容器は、生産者等から消費者等への流通過程において、内容物である商品を保持することが、大きな目的である。そのためには、容器が不正に開封されることを防止する必要がある。しかし、近年、この不正開封防止が脅かされている。すなわち、商品の流通過程において、より品質の悪い内容物に置き換えられたり、容器内部に有害物質を混入させる犯罪行為に使用されたりする場合がある。不正開封防止は、特に食品では最も重要な課題である。そこで、不正開封防止がより確実に行われることが望まれている。
【０００３】
不正開封防止を確保しようとする容器が開発されている。図１３は、従来の容器に用いる容器本体の一例を示す平面図および側面図である。容器本体１には、平面図Ａの左上と右下の２箇所に保持部１１が設けられている。この保持部１１が、不正開封防止を確保するための構造である。
【０００４】
図１４は、図１３の平面図におけるｄ−ｄ’ 断面図であり、容器に用いる保持部１１の一例を示すものである。
【０００５】
容器本体１の開口部付近には、上端部１９と保持部１１が固定されている。
【０００６】
上端部１９は、容器本体１の開口部上端に設けられた板状の部分である。
【０００７】
保持部１１は、容器本体１の開口部の外側に設けられている。保持部１１は、ふち部１２、溝部１８、および離間部１７が形成されている。ふち部１２は、保持部１１の先端付近に設けられた、板状の部分である。溝部１８は、上端部１９とふち部１２の間に設けられた溝状の空間である。離間部１７は、保持部１１と容器本体１の間に設けられた帯状の空間である。なお、保持部１１は、容器本体１と接続部（図示していない）を介して接続されている。接続部の断面積は小さく、小さな力で切断することができる。
【０００８】
蓋２は、容器本体１の上端部１９に係合することにより、容器本体１の開口部を閉じるものである。蓋２の外周には、ふち部２２が設けられている。ふち部２２は、図面の左右方向に長手方向を持つ板状の部分である。
【０００９】
蓋２を容器本体１の開口部に設置すると、蓋２のふち部２２は保持部１１のみぞ部１８の中に入り込む。ふち部１２の高さは、ふち部２２の高さよりも高い。蓋２を開けるためには、ふち部２２に指等をかけて、ふち部２２を上に上げる必要がある。上述したように、ふち部１２の高さがふち部２２の高さよりも高いので、ふち部２２に指等をかけることができない。したがって、商品の流通過程において、不正開封防止を確保することができる。
【００１０】
消費者等が蓋２を開けるときは、保持部１１と容器本体１を接続する接続部（図示していない）を切断し、保持部１１をふち部２２から引き離す。これにより、ふち部１２の妨害がなくなるので、ふち部２２に指等をかけることができ、蓋２を開けることができる。
【発明の開示】
【発明が解決しようとする課題】
【００１１】
しかしながら、上述した従来の容器では、以下のような問題点がある。
【００１２】
上述したように、保持部１１と容器本体１を接続する接続部を切断し、保持部１１をふち部２２から引き離すことにより、ふち部２２に指等をかけることができ、蓋２を開けることができる。しかし、ふち部２２の幅（図面の左右方向）が狭いので、指等をふち部２２にかけても、指等とふち部２２の接触面積が小さく、消費者等にとって蓋２が開けにくいという問題点がある。
【００１３】
一方、離間部１７には隙間が形成されている。また、ふち部２２の下側の面は、その一部が離間部１７の上に存在している。離間部１７を貫通するような、細い棒（針等）、薄い板状のもの（金属片等）を、離間部１７の下側から挿入し押し上げると、細い棒等はふち部２２の下面にぶつかる。さらに細い棒等を押し上げると、蓋２が本体容器１から外れることになる。したがって、保持部１１がこの構造では、不正開封防止が確保できないという問題点がある。
【００１４】
そこで、蓋を開けるのが容易であり、かつ不正開封防止が確保できる容器の開発が望まれている。
【００１５】
本発明は、このような課題に鑑みてなされたものであり、新規な容器を提供することを目的とする。
【課題を解決するための手段】
【００１６】
上記課題を解決し、本発明の目的を達成するため、本発明の容器は、舌片を有する蓋と保持部を有する容器本体からなり、前記保持部が前記容器本体に接続部を介して固定され、前記保持部がふち部を有し、前記容器本体に前記蓋を設置した後は、前記ふち部が前記舌片の外周を囲む。
【００１７】
また、本発明の容器は、舌片を有する蓋と保持部を有する容器本体からなり、前記保持部が前記容器本体に接続部を介して固定され、前記保持部が押え部を有し、前記容器本体に前記蓋を設置した後は、前記押え部が前記舌片の２つの面のうち前記蓋側の面の上に位置する。
【００１８】
また、本発明の容器は、舌片を有する蓋と保持部を有する容器本体からなり、前記保持部が前記容器本体に接続部を介して固定され、前記保持部が押え部を有し、前記容器本体に前記蓋を設置する前は、前記舌片の導入部と前記押え部の導入部が互いにぶつかり合う位置関係にあり、前期容器本体に前記蓋を設置する際は、前記舌片の導入部と前記押さえ部の導入部が互いに滑りあう状態にあり、前記容器本体に前記蓋を設置した後は、前記押え部が前記舌片の２つの面のうち前記蓋側の面の上に位置する。
【発明の効果】
【００１９】
本発明は、以下に記載されるような効果を奏する。
【００２０】
本発明は、舌片を有する蓋と保持部を有する容器本体からなり、前記保持部が前記容器本体に接続部を介して固定され、前記保持部がふち部を有し、前記容器本体に前記蓋を設置した後は、前記ふち部が前記舌片の外周を囲むので、新規な容器を提供することができる。
【００２１】
本発明は、舌片を有する蓋と保持部を有する容器本体からなり、前記保持部が前記容器本体に接続部を介して固定され、前記保持部が押え部を有し、前記容器本体に前記蓋を設置した後は、前記押え部が前記舌片の２つの面のうち前記蓋側の面の上に位置するので、新規な容器を提供することができる。
【００２２】
本発明は、舌片を有する蓋と保持部を有する容器本体からなり、前記保持部が前記容器本体に接続部を介して固定され、前記保持部が押え部を有し、前記容器本体に前記蓋を設置する前は、前記舌片の導入部と前記押え部の導入部が互いにぶつかり合う位置関係にあり、前期容器本体に前記蓋を設置する際は、前記舌片の導入部と前記押さえ部の導入部が互いに滑りあう状態にあり、前記容器本体に前記蓋を設置した後は、前記押え部が前記舌片の２つの面のうち前記蓋側の面の上に位置するので、新規な容器を提供することができる。
【発明を実施するための最良の形態】
【００２３】
以下、本発明を実施するための最良の形態について説明する。
【００２４】
まず、容器にかかる第１の発明を実施するための最良の形態について説明する。
【００２５】
図１は、本発明の容器に用いる蓋の一例を示す平面図および側面図である。蓋２は、プラスチック、金属、木材、紙などからなる。蓋２には、平面図Ａの左下に舌片２１が形成されている。舌片２１は、たとえば略三角形の板状の部分である。この舌片２１を指でつまむことにより、蓋２を容易に開けることができる。
【００２６】
図２は、本発明の容器に用いる容器本体の一例を示す平面図および側面図である。容器本体１は、プラスチック、金属、木材、紙などからなる。容器本体１には、平面図Ａの左下、または側面図Ｂの左上に、保持部１１が形成されている。
【００２７】
図３、図４、および図５は、本発明の容器に用いる保持部１１の一例を示す、それぞれ平面図、側面図、および断面図（図３のａ−ａ’ 断面）である。保持部１１は、接続部１６、平面部１４、ふち部１２、押え部１２ｂ、および隙間部１３を有している。
【００２８】
保持部１１は、容器本体１に接続部１６ａ〜１６ｅを介して固定されている。接続部１６ａ〜１６ｅは、その断面積が小さく、小さな力で切断することができる。接続部１６ａ〜１６ｅのそれぞれの間には、離間部１７ａ〜１７ｄが形成されている。
【００２９】
平面部１４は、保持部１１の大部分を占め、たとえば略三角形の形状を有する平板である。平面部１４は、舌片２１とほぼ同一の形状をしている。
【００３０】
ふち部１２は、平面部１４の外側全体に形成された、略板状の部分である。ふち部１２は、容器本体１に蓋２を設置したときに、舌片２１の外周を囲む位置に存在する。
【００３１】
押え部１２ｂは、ふち部１２の上部に形成されている。押え部１２ｂの長手方向の長さは、ふち部１２の長手方向の長さの一部を占めている。押え部１２ｂの幅は、他のふち部１２の幅よりも広くなっており、長手方向の中央部が最も広くなっている。
【００３２】
隙間部１３は、平面部１４と押さえ部１２ｂの間に形成されている。隙間部１３の高さは、舌片２１の高さよりも若干高くなっている。
【００３３】
図６は、本発明の容器に用いる、舌片２１と保持部１１の動きを示す断面図である。すなわち、容器本体１に蓋２を設置するときの、舌片２１と保持部１１の動きを示す図である。
【００３４】
図６Ａに示すように、容器本体１に蓋２を設置するときは、蓋２の舌片２１が保持部１１に向かって下がってくる。舌片２１の先端の下側は、たとえば曲面で丸みを付けた導入部２１ａが形成されている。また、押え部１２ｂの先端の上側は、たとえば曲面で丸みを付けた導入部１２ａが形成されている。舌片２１の導入部２１ａと押え部１２ｂの導入部１２ａは、互いにぶつかり合う位置関係にある。
【００３５】
図６Ｂに示すように、舌片２１が下がってくると、舌片２１の導入部２１ａと押え部１２ｂの導入部１２ａがぶつかる。舌片２１をさらに下げると、導入部２１ａと導入部１２ａが摩擦を受けながら互いに滑っていく。このとき、舌片２１と保持部１１は湾曲する。この湾曲により、導入部２１ａと導入部１２ａの滑りは円滑になる。
【００３６】
保持部１１が湾曲するとき、図３から分かるように、接続部１６ａ，１６ｅは主に引っ張り力とねじり力を受ける。引っ張り力に対して、接続部１６ａ，１６ｅが弾性伸びを示すようにする。弾性伸びを示すようにするためには、材料の柔軟性を考慮し接続部１６ａ，１６ｅの断面積を適切に選択する。ねじり力に対しては、接続部１６ａ，１６ｅが弾性ねじれを示すようにする。弾性ねじれを示すようにするためには、材料の柔軟性を考慮し接続部１６ａ，１６ｅの断面形状を適切に選択する。
【００３７】
また、保持部１１が湾曲するとき、接続部１６ｂ，１６ｃ，１６ｄは主に圧縮力と曲げ力を受ける。圧縮力に対して、接続部１６ｂ，１６ｃ，１６ｄが弾性圧縮を示すようにする。弾性圧縮を示すようにするためには、材料の柔軟性を考慮し接続部１６ｂ，１６ｃ，１６ｄの断面積を適切に選択する。曲げ力に対しては、接続部１６ｂ，１６ｃ，１６ｄが弾性曲げを示すようにする。弾性曲げを示すようにするためには、材料の柔軟性を考慮し接続部１６ｂ，１６ｃ，１６ｄの断面形状を適切に選択する。
【００３８】
図６Ｃに示すように、舌片２１がさらに下がると、舌片２１の先端が隙間部１３の中に入り込む。これにより、容器本体１に蓋２を設置した後は、押え部１２ｂが舌片２１の２つの面のうち蓋２側の面の上に位置することになる。
【００３９】
なお、上述したように、導入部２１ａと導入部１２ａは曲面で丸みを付けた表面を形成している。曲面は特定の曲面に限定されるわけではない。曲面は、断面が円、楕円、２次曲線、３次曲線、サイクロイド曲線など種々の曲線を採用することができる。また、角を面取りした平面であってもよい。要するに、導入部２１ａと導入部１２ａが互いに円滑に滑ることができれば、いかなる形状も採用することができる。
【００４０】
本発明の容器によれば、商品の流通過程において、指等で舌片２１を持ち上げることができない。無理に舌片２１を持ち上げれば、保持部１１の接続部１６ａ〜１６ｅの一部または全部が切断されるので、一目瞭然に分かることになる。このことから、保持部１１を用いることにより、不正開封防止が確保できる。
【００４１】
消費者等が、蓋２を開けるときは、保持部１１を容器本体１側に曲げることにより、接続部１６ａ〜１６ｅを切断する。すると、舌片２１が露出する。消費者等は、この舌片２１を指でつまむことにより、蓋２を容易に容器本体１からはずすことができる。また、保持部１１に押え部１２ｂを形成し、舌片２１を隙間部１３に入れる構造とすることにより、閉蓋時は容易に施蓋できる。また、本発明にかかる容器本体１を作製する場合は、保持部１１の金型の作製が容易であるという利点がある。
【００４２】
つぎに、容器にかかる第２の発明を実施するための最良の形態について説明する。以下に説明すること以外は、第１の発明を実施するための最良の形態と同様である。
【００４３】
図７、図８、および図９は、本発明の容器に用いる保持部の他の例を示す、それぞれ平面図、側面図、および断面図（図７のｂ−ｂ’ 断面）である。
【００４４】
保持部１１には、ふち部１２、押え部１２ｂ、および隙間部１３が形成されている。
【００４５】
ふち部１２は、平面部１４の外側全体に形成された、略板状の部分である。
【００４６】
押え部１２ｂは、ふち部１２の上部に形成されている。押え部１２ｂの長手方向の長さは、ふち部１２の長手方向の長さの一部を占めている。押え部１２ｂの幅は、ふち部１２の幅と同一である。
【００４７】
隙間部１３は、平面部１４と押さえ部１２ｂの間に貫通した孔として形成されている。隙間部１３の高さは、舌片２１の高さよりも若干高くなっている。
【００４８】
容器本体１に蓋２を設置するときの、舌片２１と保持部１１の動きは、図６において説明した動きと同様である。
【００４９】
本発明の容器によれば、商品の流通過程において、指等で舌片２１を持ち上げることができない。無理に舌片２１を持ち上げれば、保持部１１の接続部１６ａ〜１６ｅの一部または全部が切断されるので、一目瞭然に分かることになる。このことから、保持部１１を用いることにより、不正開封防止が確保できる。
【００５０】
消費者等が、蓋２を開けるときは、保持部１１を容器本体１側に曲げることにより、接続部１６ａ〜１６ｅを切断する。すると、舌片２１が露出する。消費者等は、この舌片２１を指でつまむことにより、蓋２を容易に容器本体１からはずすことができる。また、本発明の容器においては、蓋２を容器本体１に設置するときに、押え部１２ｂが変形しやすいので、舌片２１を隙間部１３に入れやすいという利点がある。
【００５１】
つぎに、容器にかかる第３の発明を実施するための最良の形態について説明する。以下に説明すること以外は、第１の発明を実施するための最良の形態と同様である。
【００５２】
図１０、図１１、および図１２は、本発明の容器に用いる保持部の他の例を示す、それぞれ平面図、側面図、および断面図（図１０のｃ−ｃ’ 断面）である。
【００５３】
保持部１１には、ふち部１２、押え部１２ｂ、および隙間部１３が形成されている。
【００５４】
ふち部１２は、平面部１４の外側に形成された、略板状の部分である。
【００５５】
押え部１２ｂは、ふち部１２の上部に形成されている。押え部１２ｂは、所定の長さを有している。押え部１２ｂの幅は、ふち部１２の幅と同一である。
【００５６】
隙間部１３は、平面部１４と押さえ部１２ｂの間に形成されている。隙間部１３の高さは、舌片２１の高さよりも若干高くなっている。
【００５７】
図１０に示すように、舌片２１の先端部は凸形状をしている。この先端部凸形状の２つの側部の下側は、たとえば曲面で丸みを付けた導入部（図示していない）が形成されている。また、図１１に示すように、押え部１２ｂの先端の上側は、たとえば曲面で丸みを付けた導入部１２ａが形成されている。舌片２１の導入部と押え部１２ｂの導入部１２ａは、互いにぶつかり合う位置関係にある。
【００５８】
舌片２１が下がってくると、舌片２１の導入部と押え部１２ｂの導入部１２ａがぶつかる。舌片２１をさらに下げると、舌片２１の導入部と押え部１２ｂの導入部１２ａが摩擦を受けながら互いに滑っていく。このとき、舌片２１と押え部１２ｂは湾曲する。この湾曲により、舌片２１の導入部と押え部１２ｂの導入部１２ａの滑りは円滑になる。
【００５９】
図１２に示すように、舌片２１がさらに下がると、舌片２１の先端が隙間部１３の中に入り込む。これにより、容器本体１に蓋２を設置した後は、押え部１２ｂが舌片２１の２つの面のうち蓋２側の面の上に位置することになる。
【００６０】
本発明の容器によれば、商品の流通過程において、指等で舌片２１を持ち上げることができない。無理に舌片２１を持ち上げれば、保持部１１の接続部１６ａ〜１６ｅの一部または全部が切断されるので、一目瞭然に分かることになる。このことから、保持部１１を用いることにより、不正開封防止が確保できる。
【００６１】
消費者等が、蓋２を開けるときは、保持部１１を容器本体１側に曲げることにより、接続部１６ａ〜１６ｅを切断する。すると、舌片２１が露出する。消費者等は、この舌片２１を指でつまむことにより、蓋２を容易に容器本体１からはずすことができる。また、保持部１１に押え部１２ｂを形成し、舌片２１を隙間部１３に入れる構造とすることにより、閉蓋時は容易に施蓋できる。また、本発明にかかる容器本体１を作製する場合は、保持部１１の金型の作製が容易であるという利点がある。
【００６２】
なお、上では保持部１１が１つの場合について説明したが、保持部１１は複数あってもよいことはもちろんである。
【００６３】
押え部１２ｂの形状は、上に説明したものに限定されない。舌片２１の上面に位置するものであれば、いかなる形状も採用できることはもちろんである。
【００６４】
以上のことから、本発明を実施するための最良の形態によれば、舌片を有する蓋と保持部を有する容器本体からなり、前記保持部が前記容器本体に接続部を介して固定され、前記保持部がふち部を有し、前記容器本体に前記蓋を設置した後は、前記ふち部が前記舌片の外周を囲むので、新規な容器を提供することができる。
【００６５】
また、本発明を実施するための最良の形態によれば、舌片を有する蓋と保持部を有する容器本体からなり、前記保持部が前記容器本体に接続部を介して固定され、かつ前記保持部が押え部を有し、前記容器本体に前記蓋を設置した後は、前記押え部が前記舌片の２つの面のうち前記蓋側の面の上に位置するので、新規な容器を提供することができる。
【００６６】
また、本発明を実施するための最良の形態によれば、舌片を有する蓋と保持部を有する容器本体からなり、前記保持部が前記容器本体に接続部を介して固定され、前記保持部が押え部を有し、前記容器本体に前記蓋を設置する前は、前記舌片の導入部と前記押え部の導入部が互いにぶつかり合う位置関係にあり、前期容器本体に前記蓋を設置する際は、前記舌片の導入部と前記押さえ部の導入部が互いに滑りあう状態にあり、前記容器本体に前記蓋を設置した後は、前記押え部が前記舌片の２つの面のうち前記蓋側の面の上に位置するので、新規な容器を提供することができる。
【００６７】
なお、本発明は上述の発明を実施するための最良の形態に限らず本発明の要旨を逸脱することなくその他種々の構成を採り得ることはもちろんである。
【図面の簡単な説明】
【００６８】
【図１】本発明の容器に用いる蓋の一例を示す平面図および側面図である。
【図２】本発明の容器に用いる容器本体の一例を示す平面図および側面図である。
【図３】本発明の容器に用いる要部の一例を示す平面図である。
【図４】本発明の容器に用いる要部の一例を示す側面図である。
【図５】本発明の容器に用いる要部の一例を示す断面図である。
【図６】本発明の容器に用いる要部の動きを示す断面図である。
【図７】本発明の容器に用いる要部の他の例を示す平面図である。
【図８】本発明の容器に用いる要部の他の例を示す側面図である。
【図９】本発明の容器に用いる要部の他の例を示す断面図である。
【図１０】本発明の容器に用いる要部の他の例を示す平面図である。
【図１１】本発明の容器に用いる要部の他の例を示す側面図である。
【図１２】本発明の容器に用いる要部の他の例を示す断面図である。
【図１３】従来の容器に用いる容器本体の一例を示す平面図および側面図である。
【図１４】従来の容器に用いる要部の一例を示す断面図である。
【符号の説明】
【００６９】
１‥‥容器本体、２‥‥蓋、１１‥‥保持部、１２‥‥ふち部、１２ａ‥‥導入部、１２ｂ‥‥押え部、１３‥‥隙間部、１４‥‥平面部、１５‥‥本体接続部、１６，１６ａ，１６ｂ，１６ｃ，１６ｄ，１６ｅ‥‥接続部、１７，１７ａ，１７ｂ，１７ｃ，１７ｄ‥‥離間部、１８‥‥溝部、１９‥‥上端部、２１‥‥舌片、２１ａ‥‥導入部、２２‥‥ふち部
【図１】
2007112451.tif 000003
【図２】
2007112451.tif 000004
【図３】
2007112451.tif 000005
【図４】
2007112451.tif 000006
【図５】
2007112451.tif 000007
【図６】
2007112451.tif 000008
【図７】
2007112451.tif 000009
【図８】
2007112451.tif 000010
【図９】
2007112451.tif 000011
【図１０】
2007112451.tif 000012
【図１１】
2007112451.tif 000013
【図１２】
2007112451.tif 000014
【図１３】
2007112451.tif 000015
【図１４】
2007112451.tif 000016